(57)【特許請求の範囲】
【請求項１】
顧客が購入する商品の金額を印字してレシートを作成するとともに、
前記顧客が購入する商品のうち飲食に供される前記商品に対して、複数の栄養素およびエネルギーのうち少なくとも前記複数の栄養素からなる複数の栄養要素の各々の含有量を集計することにより各々の栄養要素の総含有量を算出し、前記各々の栄養要素について予め定められた各々の基準量に対する前記各々の栄養要素の総含有量の割合を算出し、前記各々の栄養要素の総含有量の割合を示す栄養バランス情報を前記レシートに印字するように構成され、
全ての前記栄養素の各々の前記総含有量の割合の平均値を算出し、この平均値に１より大きい第１の係数を乗算した積の値よりもある前記栄養素の前記総含有量の割合が大きい場合に、前記ある栄養素が過剰である旨のメッセージを前記レシートに印字するように構成され、前記平均値に１より小さい第２の係数を乗算した積の値よりもある前記栄養素の前記総含有量の割合が小さい場合に、前記ある栄養素が不足している旨のメッセージを前記レシートに印字するように構成されたレシート発行装置。
【請求項２】
全ての前記栄養素の前記総含有量の割合が、前記平均値に前記第２の係数を乗算した積の値から前記平均値に前記第１の係数を乗算した積の値までの範囲内にある場合に、栄養バランスが良好である旨のメッセージを前記レシートに印字するように構成された請求項１に記載のレシート発行装置。
【請求項３】
顧客が購入する商品の金額を印字してレシートを作成するとともに、
前記顧客が購入する商品のうち飲食に供される前記商品に対して、複数の栄養素およびエネルギーのうち少なくとも前記複数の栄養素からなる複数の栄養要素の各々の含有量を集計することにより各々の栄養要素の総含有量を算出し、前記各々の栄養要素について予め定められた各々の基準量に対する前記各々の栄養要素の総含有量の割合を算出し、前記各々の栄養要素の総含有量の割合を示す栄養バランス情報を前記レシートに印字するように構成され、
全ての前記栄養素の各々の前記総含有量の割合の平均値を算出し、この平均値に１より小さい係数を乗算した積の値よりもある複数の前記栄養素の各々の前記総含有量の割合が小さい場合に、この場合に対応するメッセージを予め用意された複数のメッセージの中から選択し、前記レシートに印字するように構成されたレシート発行装置。
【発明の詳細な説明】
【技術分野】
【０００１】
本発明は、食料品店等で買い物の精算をしたときにレシートを発行するレシート発行装置に関する。
【背景技術】
【０００２】
従来、例えば、スーパーストアなどの店舗で買い物をする際には、顧客は、購入商品を所定の精算所にもって行き、店員が、各商品に付されたバーコードをバーコードリーダで読み取らせることで、商品の合計金額（代金）がレジスタで演算され、顧客が代金を支払うと、支払いの明細（商品ごとの金額）と合計金額等が印字されたレシート（領収証）が店員から手渡されるようになっている。
【０００３】
また、近年、栄養バランスの欠いた食生活に起因する成人病や肥満などが増加しており、健康管理に役立つ情報は消費者の欲するところである。例えば特許文献１、２には、レシートに、購入した食品の合計の各栄養成分データおよびエネルギー（カロリー）の量が印字される構成が示されている。
【特許文献１】特開平９−２２６２７３号公報
【特許文献２】特開２０００−１１３３２５号公報
【発明の開示】
【発明が解決しようとする課題】
【０００４】
しかしながら、スーパーストアなどの店舗で買い物をする場合には、上述のように、レシートに、購入した食品の合計の各栄養成分データおよびエネルギーの量が印字されてあっても、顧客が栄養素等に関する充分な知識を持っていないと、レシートに印字された各栄養成分データおよびエネルギーの量を見て、それらが量的に適しているか否か等の判断をするのが容易ではなく、結果的に健康管理に有用な情報にはならない。
【０００５】
本発明は上記のような課題を解決するためになされたもので、栄養要素（栄養素およびエネルギー）に関する充分な知識を持っていない顧客に対しても、健康管理に有用となる情報を与えることができるレシート発行装置を提供することを目的としている。
【課題を解決するための手段】
【０００６】
上記課題を解決するために、本発明のレシート発行装置は、顧客が購入する商品の金額を印字してレシートを作成するとともに、前記顧客が購入する商品のうち飲食に供される前記商品に対して、複数の栄養素およびエネルギーのうち少なくとも前記複数の栄養素からなる複数の栄養要素の各々の含有量を集計することにより各々の栄養要素の総含有量を算出し、前記各々の栄養要素について予め定められた各々の基準量に対する前記各々の栄養要素の総含有量の割合を算出し、前記各々の栄養要素の総含有量の割合を示す栄養バランス情報を前記レシートに印字するように構成され、全ての前記栄養素の各々の前記総含有量の割合の平均値を算出し、この平均値に１より大きい第１の係数を乗算した積の値よりもある前記栄養素の前記総含有量の割合が大きい場合に、前記ある栄養素が過剰である旨のメッセージを前記レシートに印字するように構成され、前記平均値に１より小さい第２の係数を乗算した積の値よりもある前記栄養素の前記総含有量の割合が小さい場合に、前記ある栄養素が不足している旨のメッセージを前記レシートに印字するように構成されている。
また、全ての前記栄養素の前記総含有量の割合が、前記平均値に前記第２の係数を乗算した積の値から前記平均値に前記第１の係数を乗算した積の値までの範囲内にある場合に、栄養バランスが良好である旨のメッセージを前記レシートに印字するように構成されていてもよい。
また、本発明のレシート発行装置は、顧客が購入する商品の金額を印字してレシートを作成するとともに、前記顧客が購入する商品のうち飲食に供される前記商品に対して、複数の栄養素およびエネルギーのうち少なくとも前記複数の栄養素からなる複数の栄養要素の各々の含有量を集計することにより各々の栄養要素の総含有量を算出し、前記各々の栄養要素について予め定められた各々の基準量に対する前記各々の栄養要素の総含有量の割合を算出し、前記各々の栄養要素の総含有量の割合を示す栄養バランス情報を前記レシートに印字するように構成され、全ての前記栄養素の各々の前記総含有量の割合の平均値を算出し、この平均値に１より小さい係数を乗算した積の値よりもある複数の前記栄養素の各々の前記総含有量の割合が小さい場合に、この場合に対応するメッセージを予め用意された複数のメッセージの中から選択し、前記レシートに印字するように構成されていてもよい。
【０００７】
この構成によれば、顧客は、栄養要素に関する充分な知識を持っていなくても、レシートに印字される栄養バランス情報が、各々の栄養要素について各々の基準量に対する総含有量の割合を示しているため、購入商品における各栄養要素のバランスを知ることができ、健康管理に有用な情報を得ることが可能となる。
【０００８】
また、前記各々の栄養要素の前記基準量は、成人１人が１日に摂取すべき量として前記各々の栄養要素について予め定められた所定量であるようにしてもよい。このように、基準量を、成人１人が１日に摂取すべき所定量に定めておくことで、購入商品から摂取される各栄養要素の量が何人分の１日の量に相当するか、あるいは何日分の１人の量に相当するか等を知ることができる。
【０００９】
また、前記栄養バランス情報は、レーダーチャートまたはバーチャートにより示されることが好ましい。これにより、視覚的に栄養要素のバランスを知ることができるため、各栄養要素のバランスが良いか悪いかの判断が容易かつ直感的に可能となる。
【００１０】
また、前記レーダーチャートまたはバーチャートに前記各々の栄養要素について前記基準量のｋ倍（ｋは１以上の整数）の量に相当する位置を示す目盛りを付すことが好ましい。これにより、購入商品から摂取される各栄養要素の量がそれぞれの基準量のｋ倍の量に対してどの程度であるかを、レーダーチャートまたはバーチャート上で容易に認識することができる。また、目盛りが付される基準量のｋ倍の量に相当する位置として、基準量の１倍の量に相当する位置、基準量の２倍の量に相当する位置、基準量の３倍の量に相当する位置などの複数の位置に目盛りが付されることが好ましい。
【００１１】
以上に述べた発明によれば、健康管理に有用な情報をメッセージとして印字して顧客に知らせることができる。
【発明の効果】
【００１２】
本発明は、以上に説明した構成を有し、レシート発行装置において、栄養要素（栄養素およびエネルギー）に関する充分な知識を持っていない顧客に対しても、健康管理に有用となる情報を与えることができるという効果を奏する。
【発明を実施するための最良の形態】
【００１３】
以下、本発明の好ましい実施の形態を、図面を参照しながら説明する。
【００１４】
図１は、本発明の実施の形態のレシート発行装置の一例であるＰＯＳシステム（point of sales system）の構成を示すブロック図である。
【００１５】
このＰＯＳシステムでは、例えば店舗の管理部等に設置されたホストコンピュータ１と、このホストコンピュータ１にオンライン等で接続され店舗の精算所に設置された電子レジスタである精算装置２とを備えている。通常、ホストコンピュータ１に接続される精算装置２は複数存在するが、図１では簡略化して１つしか示していない。なお、精算装置２は１つでもよい。
【００１６】
精算装置２の制御部２１には、ＣＰＵと、ＲＯＭ及びＲＡＭ等からなるメモリとを備え、ＲＯＭにはＣＰＵの実行するプログラムが記憶されており、このプログラムをＣＰＵが実行することにより精算装置２が動作する。また、ＲＡＭには精算装置２が動作して得られる金額等のデータが記憶される。商品情報読取部２２はバーコードリーダ等を備え、商品に付されているバーコードを読み取り商品コード等に変換する装置である。プリンタ２３は消費者が購入した商品の明細及び購入総額等を印字するレシート印字装置である。表示器２４は購入総額等を表示する装置である。入力部２５には、テンキーや、各種操作用のキー（例えば、「小計」キー、「預かり」キー等）が備えられている。基準栄養素量記憶部２６には、所定の各栄養素及びエネルギー（カロリー）についての基準量、例えば予め定められた成人１人が１日に摂取する標準的な量が記憶されている。メッセージ記憶部２７には、所定の条件とメッセージとを対応させたテーブル（以下、「メッセージテーブル」という）が記憶されている。
【００１７】
ホストコンピュータ１の制御部１１には、ＣＰＵと、ＲＯＭ及びＲＡＭ等からなるメモリとを備え、ＲＯＭにはＣＰＵの実行するプログラムが記憶されており、このプログラムをＣＰＵが実行することによりホストコンピュータ１が動作する。また、ＲＡＭにはホストコンピュータ１が動作して得られる金額等のデータが記憶される。商品価格記憶部１２には、全ての商品について、商品コードと商品名及び商品価格（単価）とを対応させたテーブル（以下、「価格テーブル」という）が記憶されている。商品栄養素記憶部１３には、飲食に供される商品について、商品コードとその商品コードに対応する商品に含まれる各栄養素およびエネルギーの量（以下、「栄養素含有量情報」という）とを対応させたテーブル（以下、「栄養素テーブル」という）が記憶されている。
【００１８】
本実施の形態のＰＯＳシステムにおいて、プリンタ２３から出力されるレシートの一例を図２（ａ）に示す。このレシートでは、本来のレシート部分３１に、栄養バランス情報部分３２が付加されて印字される。図２（ｂ）は、栄養バランス情報部分３２の拡大図であり、この栄養バランス情報部分３２には、レーダーチャートで示された栄養バランス情報３３とメッセージ３４とが含まれる。また、図３は、栄養バランス情報３３を作成するために用いられ、基準栄養素量記憶部２６に記憶されている所定の各栄養素及びエネルギーについての基準量の一例を示す図である。各基準量は、例えば、厚生省による「日本人の栄養所要量」等に基づいて作成すればよい。図４は、栄養バランス情報３３を作成するために用いられ、商品栄養素記憶部１３に記憶されている栄養素テーブルＴ１の一例を示す図である。この栄養素テーブルＴ１は、例えば、科学技術庁による「日本食品標準成分表」等に基づいて作成すればよい。なお、図４では、商品コードに対応して商品名も記憶されているが、商品名は価格テーブルに記憶されているので、栄養素テーブルＴ１には商品名が記憶されていなくてもよい。図５は、レシートに印字されるメッセージ３４を選択するために用いられ、メッセージ記憶部２７に記憶されているメッセージテーブルＴ２の一例を示す図である。本実施の形態では、栄養バランス情報３３の対象として例えば図３に示されるようにエネルギーと７つの栄養素（たんぱく質、炭水化物、脂質、食物繊維、カルシウム、鉄分、塩分）とを挙げているが、これらに限られるものではない。
【００１９】
このＰＯＳシステムでは、精算所の店員は、商品情報読取部２２（バーコードリーダ）を用いて顧客が購入する商品に付されたバーコードを読み取らせる。商品情報読取部２２では読み取ったバーコードを商品コードに変換して制御部２１へ出力する。制御部２１では、商品情報読取部２２から商品コードを入力するたびに、その商品コードをホストコンピュータ１へ出力する。
【００２０】
ホストコンピュータ１の制御部１１では、精算装置２の制御部２１から商品コードを受け取ると、商品価格記憶部１２に記憶されている価格テーブルを参照して商品コードに対応する商品名及び商品価格を取得するとともに、商品栄養素記憶部１３に記憶されている栄養素テーブルＴ１を参照して商品コードに対応する栄養素含有量情報を取得し、これらを精算装置２の制御部２１へ出力する。ただし、飲食に供されない商品については栄養素含有量情報は取得されない。このようにして、精算装置２の制御部２１では、順次、商品情報読取部２２から出力される商品コードに対応する商品価格及び栄養素含有量情報を取得する。そして制御部２１では、順次取得される商品価格の集計のための演算を行うとともに、順次取得される栄養素含有量情報の各栄養素およびエネルギーの量の累積計算を行う。
【００２１】
そして、店員は、顧客の全購入商品について商品情報読取部２２によるバーコードの読み取りが終了すると、入力部２５の例えば「小計」キーを押す。この操作によって入力部２５から「読み取り終了」の信号が制御部２１へ入力されると、制御部２１は、購入商品の総額を表示器２４に表示させるとともに、累積計算されている購入商品の各栄養素およびエネルギーの総量の、予め基準栄養素量記憶部２６に記憶されている各栄養素およびエネルギーの基準量（図３参照）に対する割合を演算し、その演算結果をレーダーチャート用のデータに変換する。さらに、上記演算結果に基づいて、メッセージ記憶部２７に記憶されているメッセージテーブルＴ２を参照してレシートに印字すべきメッセージを選択する。
【００２２】
次に、顧客が例えば現金を店員に手渡すと、店員は顧客から手渡された金額を入力部２５のテンキーで入力し、例えば「預かり」キーを押す。この操作によって入力部２５から「精算終了」の信号が制御部２１へ入力されると、制御部２１は、図２（ａ）に示すようなレシートをプリンタ２３に印字出力させるとともに、ホストコンピュータ１へその売上高（購入商品の総額）等の売上情報を出力する。ホストコンピュータ１では、各精算装置２からその都度の売上高等の売上情報が入力されて集計等が行われる。
【００２３】
本実施の形態では、上述のようにレシートに、栄養バランス情報３３及びメッセージ３４が印字されるように構成されている。これについて、さらに詳しく説明する。前述したように、飲食に供される購入商品の各栄養素およびエネルギーの総量を算出し、それらの各基準量（図３参照）に対する割合（以下、「対基準量割合」という）を求め、求めた各割合をレーダーチャートで表示する。このレーダーチャートには、図２（ｂ）に示されるように、複数の同心円が描かれており、これらの円の各軸３５上の位置は、内側の円から順に、各栄養素およびエネルギーの基準量と同量、基準量の２倍の量、基準量の３倍の量、基準量の４倍の量に相当する位置を示している。ここで、基準量を、成人１人が１日に摂取する標準的な量として定めておくことで、複数の円は内側から順に、１日に摂取すべき成人１人分、２人分、３人分、４人分の標準的な量を示すことになる。例えば、購入商品に含まれる食物繊維の総量が食物繊維の基準量の２倍であれば、食物繊維の対基準量割合は、２すなわち２００％となり、レーダーチャートの折れ線が内側から２番目の円上に描かれる。これは、成人２人が１日で摂取する量（あるいは成人１人が２日で摂取する量）としては適量であるが、成人３人以上が１日で摂取する量としては過少な量である。したがって、顧客は、栄養素およびエネルギーに関する充分な知識を持っていなくても、レーダーチャートの各軸３５上における折れ線の位置と複数の円の位置とを比較することで、購入商品から摂取される各栄養素およびエネルギーの量が何人分の１日の量に相当するか、何日分の１人の量に相当するか等を知ることができ、購入商品を飲食する人数及び日数等を考慮すれば適量であるか否かを判断することが可能となる。なお、複数の同心円に代えて、各軸３５上に頂点をもつ複数の正多角形を描くようにしてもよい。要するに、各栄養素およびエネルギーの基準量と同量、基準量の２倍の量、基準量の３倍の量、基準量の４倍の量など、各基準量のｋ倍（ｋは１以上の整数）の量に相当する位置が識別できればよく、例えば各軸３５について同じ間隔で、各基準量のｋ倍の量に相当する位置に目盛りが付されているだけでも構わない。したがって、前述の複数の同心円および複数の正多角形も目盛りに相当するものである。なお、このような目盛りを付していなくても、各栄養素およびエネルギーのバランスを知ることができるので、有用な情報となる。なお、レーダーチャートに代えて、バーチャート（棒グラフ）を用いて各栄養素およびエネルギーの対基準量割合を表示してもよい。あるいは、レーダーチャートに代えて、各栄養素およびエネルギーの対基準量割合を文字情報（数値）で表示してもよい。この場合、レーダーチャートやバーチャートのように、見て直感的に栄養のバランスを把握することはできないが、表示（印字）された数値を読んで、栄養のバランスを知ることができる。
【００２４】
続いて、印字されるメッセージ３４の選択方法について説明する。制御部２１は、メッセージ記憶部２７に記憶されているメッセージテーブルＴ２を参照してある条件に合致するメッセージを選択し、選択したメッセージをプリンタ２３に印字させる。図５では、選択するための条件を、条件１、条件２、・・・と簡略化して示しているが、条件１は、例えば栄養バランス情報３３の対象となる７つの各栄養素の対基準量割合のうち食物繊維の対基準量割合が最小であることである。条件２は、例えば上記７つの各栄養素の対基準量割合のうちタンパク質の対基準量割合が最小であることである。その他、種々の条件を設けて各条件に対応するメッセージをメッセージテーブルＴ２に任意に設定しておけばよい。例えば上記７つの各栄養素の対基準量割合のうちカルシウムの対基準量割合が最小であることを条件として、「カルシウムが不足しています」というメッセージを設定しておいてもよい。また、例えば上記７つの各栄養素の対基準量割合のうち塩分の対基準量割合が最大であることを条件として、「塩分が過剰です」というメッセージを設定しておいてもよい。あるいは、各栄養素の対基準量割合を用いて所定の演算を行いその演算結果に該当する条件に対応するメッセージを選択するようにしてもよい。例えば上記７つの栄養素の対基準量割合の平均値ａを算出し、その平均値ａに、１より大きい第１の係数ｋ１を乗算してその積ｂ１を求めるとともに、平均値ａに、１より小さい第２の係数ｋ２を乗算してその積ｂ２を求め、ある栄養素の対基準量割合が積ｂ１より大きいことを条件として、その栄養素が過剰である旨のメッセージを設定しておき、ある栄養素の対基準量割合が積ｂ２より小さいことを条件として、その栄養素が不足である旨のメッセージを設定しておき、対象とする全ての栄養素の対基準量割合がｂ２からｂ１の範囲内にあることを条件として、栄養バランスが良好である旨のメッセージを設定しておいてもよい。このような場合を含め、メッセージを複数選択できるように条件を設定しておいてもよい。また、複数の栄養素の対基準量割合が過少あるいは過剰であること、例えば食物繊維の対基準量割合及び鉄分の対基準量割合の両方が上記の積ｂ２より小さいことを条件として、「野菜が不足しています」というメッセージを設定しておいてもよい。また、エネルギー（カロリー）の対基準量割合も含めて条件を設定してもよい。すなわち、条件およびそれに対応するメッセージは任意に設定することができる。また、設定するメッセージによっては、顧客に商品の追加購入を促すことになる。例えば、レシートに「野菜が不足しています」というメッセージ３４が印字されれば、顧客はさらに野菜を購入しようという気持ちになると考えられる。
【００２５】
なお、本実施の形態では、栄養バランス情報３３の対象として、エネルギーと７つの栄養素（たんぱく質、炭水化物、脂質、食物繊維、カルシウム、鉄分、塩分）とを一例として挙げたが、これらに限られるものではなく任意に定めればよい。例えば、さらに他の栄養素、ビタミンＡ，Ｂ１，Ｂ２，Ｃ等や、鉄及びカルシウム以外の他のミネラル等を含めるようにしてもよい。また、エネルギーと上述の多数の栄養素の中から３つ以上の要素を予め選択しておいて栄養バランス情報３３の対象としてもよい。
【００２６】
また、エネルギーと上述の多数の栄養素の中からｎ個の要素を予め選択しておいて、それらのｎ個の要素について対基準量割合を算出し、その中から、予め定めた「所定の基準」に基づいて栄養バランス情報３３として印字するｍ個の要素（ｍは、３以上でｎ未満の予め定められた数）を選択するようにしてもよい。この場合、「所定の基準」は、任意に定めればよく、例えば、ｎ個の要素の対基準量割合の平均値を算出し、この平均値との差が大きいものから優先的にｍ個の要素を選択するようにすればよい。
【００２７】
また、プリンタ２３にカラー印字可能なプリンタを用い、栄養バランス情報３３を示すレーダーチャートを複数の色で色付けしてもよい。この場合、各栄養素及びエネルギーごとに色分けすることが好ましい。そして、レーダーチャート上で色分けされた各栄養素の色と同じ色の札などを用意し、ある商品に多く含まれる栄養素に対応する色の札をその商品の陳列棚等に配置しておく。同一商品に対して異なる色の札が複数配置されてもよい。このようにしておくことで、顧客がレシートに印字された栄養バランス情報３３あるいはメッセージ３４を見て不足している栄養素を認識し、さらにその不足している栄養素の栄養バランス情報３３で表示されている色と同じ色の札を探して、その札が配置されている場所の商品を追加購入することで、不足している栄養素を補充することが可能となる。したがって、顧客が不足している栄養素を多く含む商品を探しやすいという利点がある。なお、レーダーチャートを、各栄養素及びエネルギーごとに色分けする方法としては種々考えられる。例えば、各栄養素等の名称（図２の場合は「カロリー」も含む）部分を色分けしてもよいし、名称部分とそれぞれの軸３５を含めて色分けするようにしてもよい。名称部分を色分けする場合は、名称の文字そのものを色分けするようにしてもよいし、名称部分の背景色を色分けするようにしてもよい。また、栄養バランス情報３３の表示領域を各栄養素等（図２の場合は「カロリー」も含む）に対応してそれぞれの軸３５を含む扇形あるいは三角形の各領域に分け（例えば図２（ｂ）の鎖線３６で囲まれた領域が「塩分」に対応する領域である）、その各領域の背景色を色分けするようにしてもよい。
【００２８】
本実施の形態では、ホストコンピュータ１と、電子レジスタである精算装置２とが接続されたＰＯＳシステムについて説明したが、このようなＰＯＳシステムに限られず、例えば、価格テーブルが記憶された商品価格記憶部１２と栄養素テーブルＴ１が記憶された商品栄養素記憶部１３とを精算装置２に備えた構成としてもよい。この場合、ホストコンピュータ１は不要であり、商品価格記憶部１２及び商品栄養素記憶部１３を備えた精算装置２のみで、レシート発行装置が構成される。
【００２９】
なお、商品栄養素記憶部１３に記憶されている栄養素テーブルＴ１を、各商品に含まれる各栄養素およびエネルギーの量を示すものとしたが、各商品に付されたバーコードに、商品コードの他に、その商品の重量データが含まれている場合には、栄養素テーブルＴ１を各商品の単位重量（例えば１００ｇ）当たりに含まれる各栄養素およびエネルギーの量を示すものとしてもよい。この場合、制御部２１は、バーコードに含まれる重量データと、栄養素テーブルＴ１から得られる商品の単位重量当たりに含まれる各栄養素およびエネルギーの量とを用いて演算することによって、各商品に含まれる各栄養素およびエネルギーの量を求めるようにすればよい。また、各商品に付されたバーコードに、その商品の重量データが含まれていないものと含まれているものとが混在してあってもよい。この場合、バーコードに重量データが含まれていない商品については、栄養素テーブルＴ１において、その商品に含まれる各栄養素およびエネルギーの量が示されるようにしておけばよく、バーコードに重量データが含まれている商品については、栄養素テーブルＴ１において、その商品の単位重量当たりに含まれる各栄養素およびエネルギーの量が示されるようにしておき、前述のように制御部２１による演算によって商品に含まれる各栄養素およびエネルギーの量を求めるようにすればよい。
【００３０】
また、各商品に付されたバーコードに、その商品に含まれる各栄養素およびエネルギーの量を示すデータを含めるように構成すれば、そのデータを用いることで栄養素テーブルＴ１及びそれを記憶しておく商品栄養素記憶部１３は不要となる。
【００３１】
また、各商品に付されたバーコードに、その商品の価格データを含めるように構成すれば、そのデータを用いることで商品価格テーブル及びそれを記憶しておく商品価格記憶部１２は不要となる。
【００３２】
また、バーコードに代えて、各商品にＩＣタグを装着するようにしてもよい。この場合、商品情報読取部２２は、ＩＣタグの情報を読み取るリーダにより構成される。ＩＣタグにはバーコードよりも多くの情報量を記録できるので、商品コードの他、その商品に含まれる各栄養素およびエネルギーの量を示すデータ及び価格データを記録しておくことで、栄養素テーブルＴ１及びそれを記憶しておく商品栄養素記憶部１３、並びに商品価格テーブル及びそれを記憶しておく商品価格記憶部１２は不要となる。
【００３３】
以上のように商品に添付されるバーコードやＩＣタグ等の商品情報添付手段に記録される情報（商品情報）には、商品コードのように商品を特定する商品識別情報の他に、その商品の重量データ、その商品に含まれる各栄養素およびエネルギーの量を示すデータ、その商品の価格データ等の商品属性情報があり、上記商品情報添付手段に対し、商品識別情報の他に、商品属性情報を記録するか記録しないか、さらに記録する場合にはどの商品属性情報を記録するかによって、前述のように栄養素テーブルＴ１の内容が異なったり、あるいは不要になったり、また商品価格テーブルが不要になったりする。
【産業上の利用可能性】
【００３４】
本発明は、スーパーストア等の店舗に設置され、レシートを発行するレシート発行装置等として有用である。
【図面の簡単な説明】
【００３５】
【図１】本発明の実施の形態のレシート発行装置の一例であるＰＯＳシステムの構成を示すブロック図である。
【図２】（ａ）は本発明の実施の形態におけるプリンタから出力されるレシートの一例を示す図であり、（ｂ）は同レシートに印字されている栄養バランス情報部分の拡大図である。
【図３】本発明の実施の形態における基準栄養素量記憶部に記憶されている所定の各栄養素及びエネルギーについての基準量の一例を示す図である。
【図４】本発明の実施の形態における商品栄養素記憶部に記憶されている栄養素テーブルの一例を示す図である。
【図５】本発明の実施の形態におけるメッセージ記憶部に記憶されているメッセージテーブルの一例を示す図である。
【符号の説明】
【００３６】
１  ホストコンピュータ
２  精算装置
１１  制御部
１２  商品価格記憶部
１３  商品栄養素記憶部
２１  制御部
２２  商品情報読取部
２３  プリンタ
２４  表示器
２５  入力部
２６  基準栄養素量記憶部
２７  メッセージ記憶部
３３  栄養バランス情報
３４  メッセージ
【図１】
0004795756.tif 000002
【図２】
0004795756.tif 000003
【図３】
0004795756.tif 000004
【図４】
0004795756.tif 000005
【図５】
0004795756.tif 000006